(57)【要約】【課題】  洗面器、流し等の狭い下空間内からでも、上縁面等に取付けられている操作筒に簡単且つ容易に連結することができる遠隔操作用レリースを提供する。【解決手段】  操作筒１１と遠隔操作用レリースＡの一端側先端に設けられた接続筒ａ４とのどちらか一方に形成した係合溝１１ａと、その他方に形成され係合溝１１ａに外部からの人為的操作で係脱可能に係合する係合爪３とを備えたスナップフィットＳＦで操作筒１１とのそのレリースＡ一端側との連結部を構成する。【選択図】  図３
2006183422.tif 000002
【特許請求の範囲】
【請求項１】
操作軸を上下動可能に支持する操作筒に一端側を連結し、他端側を洗面器、流し等の水槽底部の排水口部材に接続される排水継手に挿入して排水栓機構の作動部に連結する遠隔操作用レリースであって、前記一端側を、下方からの操作筒への差込み・抜取りでその操作筒に係脱するスナップフィットで構成していることを特徴とする遠隔操作用レリース。
【請求項２】
前記スナップフィットは、前記操作筒と前記一端側先端に設けられた接続筒とのどちらか一方に形成した係合溝と、その他方に形成され前記係合溝に外部からの人為的操作で係脱可能に係合する係合爪とを備えていることを特徴とする請求項１記載の遠隔操作用レリース。
【請求項３】
前記スナップフィットは、操作筒の外周下端近傍に凹設した係合溝と、前記一端側先端に設けられた接続筒から同軸状に突設されて操作筒内面に摺接される差込用案内突部と、接続筒外周に周方向に間隔をおいて設けられ前記係合溝に係脱可能に係合する係合爪とを備え、該係合爪は、接続筒に中途部を支持する中途支持構成にして下半部を人為的に掴持することによって上半部に形成した爪部の係合溝に対する係合が解除されるようになし、前記係合溝と操作筒下端との間の所要範囲を上外向テーパー部にすると共に、係合時においてその上外向テーパー部の上下端を、係合爪と接続筒上端の段差面とで挟持することを特徴とする請求項１記載の遠隔操作用レリース。
【請求項４】
前記請求項１〜３いずれか１項記載の遠隔操作用レリースの前記他端側を排水継手から挿入して水槽底部の排水口に連通する排水路に配設される排水栓機構の作動部に連結し、前記排水継手を回転させずに排水口部材に接続していることを特徴とする遠隔操作用レリースを備えた排水栓装置。
【請求項５】
前記請求項１〜３いずれか１項記載の遠隔操作用レリースの前記他端側を排水継手から挿通させて水槽底部の排水口に連通する排水路に配設される排水栓機構の作動部に連結し、前記排水継手を回転させずに排水口部材に接続してなり、前記作動部は周縁に鍔を有するホルダーに支持し、該鍔にＵパッキンを装着し、該Ｕパッキンを備えたその鍔を排水継手開放縁のフランジに載置した状態で排水継手を回転させずに排水口部材に接続して、前記排水口部材下端と排水継手のそのフランジとで前記ホルダーを水密状に挟持して排水栓機構の作動部を取付けていることを特徴とする遠隔操作用レリースを備えた排水栓装置。
【発明の詳細な説明】
【技術分野】
【０００１】
本発明は洗面器、流し等に設けた操作部の操作力を、排水栓機構に伝達して排水栓を開閉する遠隔操作用レリース及びその遠隔操作用レリースを備えた排水栓装置に関するものである
【背景技術】
【０００２】
従来、遠隔操作用レリースは、一端側を洗面器、流し等の上縁面等に設けられ操作軸を上下動可能に案内する操作筒に螺嵌する一方、他端側を排水栓機構の作動部に連結して、操作軸からの伝達力を、インナーワイヤを介して排水栓機構に伝達して排水栓を開閉するようになっている（特許文献１参照。）。
また、排水栓装置は、洗面器、流し等の水槽底部に取付けられる排水口部材に、下端を排水管に連絡する排水継手の上端を接続し、その排水継手にその側方から遠隔操作用レリースを挿入して、排水栓機構の作動部に連結して、操作部の操作力を排水栓機構に伝達するようになっている。
その排水栓装置の具体例には、排水口部材に接続される排水継手の内面に、排水栓機構の作動部を支持するホルダー用の係合段面を段設すると共に排水継手の先端に排水口部材内面に添接するガイド用立ち上げ筒を立ち上げ形成し、排水継手に挿入する遠隔操作用レリースの他端側を排水栓機構の作動部に連結する一方、前記ホルダーを前記係合段面に係合すると共に排水継手開放縁のフランジに平パッキンを載置した状態で前記ガイド用立ち上げ筒をガイドにして排水口部材に排水継手を嵌合した後、袋ナットを排水口部材に螺嵌して、排水口部材に排水継手を回転させずに接続する構成のもの（特許文献２参照）や、前記フランジ、ガイド用立ち上げ筒を排水継手から分離にして、ホルダーにフランジ、ガイド用立ち上げ筒を一体成形し、排水継手の先端外周面にそのホルダーを係合させる係合凹部を凹設した構成のもの（特許文献３参照）等が存在する。
前記特許文献２、３は、遠隔操作用レリースの排水継手からの引き出し方向を所要にした状態で、排水継手を回転させずに袋ナットで排水口部材に接続可能であるため、施工現場でのレリースの再連結による問題点（施工現場で現場作業者が連結することによって生じるレリース他端側の作動部への連結（ネジ込み）不完全を原因とする作動不良、レリース他端側が誤って斜め状に連結されて損壊する等の製造メーカーで保証された品質を損なう）を解消することができる。
【０００３】
ところで、洗面器、流し等の下空間は狭く作業をするにも窮屈このうえない。
そのため、その狭空間内で特許文献１に示すように遠隔操作用レリースを洗面器、流し等の上縁面等に取付けられている操作筒に螺嵌で接続するのは非常に厄介で、作業性が非常に悪い現状がある。
また、特許文献２、３は、内面に係合段部を凹設し先端にガイド用立ち上げ筒部を立ち上げ形成した特殊構造の排水継手や先端周面に係合凹部を凹設した特殊構造の排水継手を専用の排水継手として新規に製作して対処しなければならず、製作コスト高騰の原因になっている。
【特許文献１】実用新案登録第２５０１１６１号公報
【特許文献２】特開２００１−３４２６５８号公報
【特許文献３】特開２００２−８８８５２号公報
【発明の開示】
【発明が解決しようとする課題】
【０００４】
本発明は上記従来事情に鑑みてなされたもので、その目的とする処は、洗面器、流し等の狭い下空間内からでも、上縁面等に取付けられている操作筒に簡単且つ容易に連結することができる遠隔操作用レリースを提供することにある。
他の目的とする処は、施工現場で現場作業者によるレリースの再連結による作動不良やレリースの損傷を防止して排水口部材に排水継手を接続する際して、開放縁にフランジが折曲状に形成されている普及品の排水継手を使用して、排水継手を排水口部材に接続できる排水栓装置を提供することにある。
【課題を解決するための手段】
【０００５】
前記課題を解決するために講じた技術的手段は、操作軸を上下動可能に支持する操作筒に一端側を連結し、他端側を洗面器、流し等の水槽底部の排水口部材に接続される排水継手に挿入して排水栓機構の作動部に連結する遠隔操作用レリースであって、前記一端側を、下方からの操作筒への差込み・抜取りでその操作筒に係脱するスナップフィットで構成していることを特徴とする遠隔操作用レリースである（請求項１）。
そして、スナップフィットは、前記操作筒と前記一端側先端に設けられた接続筒とのどちらか一方に形成した係合溝と、その他方に形成され前記係合溝に外部からの人為的操作で係脱可能に係合する係合爪とを備えた構成にしてある（請求項２）。
また、前記作動部は、スラストロック機構を内蔵したり、栓軸を直接的または間接的に押動すべくインナーワイヤの他端側を進退可能に収容する構成になっている。後者においては、プッシュでロック・アンロックを交互に繰り返して排水栓を開閉したり、プッシュで排水栓を開栓し、プルで同栓を閉栓するようにする。
【０００６】
また、スナップフィットは、操作筒の外周下端近傍に凹設した係合溝と、前記一端側先端に設けられた接続筒から同軸状に突設されて操作筒内面に摺接される差込用案内突部と、接続筒外周に周方向に間隔をおいて設けられ前記係合溝に係脱可能に係合する係合爪とを備え、該係合爪は、接続筒に中途部を支持する中途支持構成にして下半部を人為的に掴持することによって上半部に形成した爪部の係合溝に対する係合が解除されるようになし、前記係合溝と操作筒下端との間の所要範囲を上外向テーパー部にすると共に、係合時においてその上外向テーパー部の上下端を、係合爪と接続筒上端の段差面とで挟持する構成になっていると好適なものである（請求項３）。
【０００７】
以上の手段によれば、操作筒下端に対する先端の差込用案内突部の案内作用で一端側先端に設けられている接続筒を差込むと、係合溝下位の上外向テーパー部で係合爪が外側に変形して、その進入の妨げを受けず、係合爪をその復元力で係合溝に係合すると同時に、上外向テーパー部を上下から係合爪と接続筒上端の段差面とで挟持して取付状態を安定させる。
【０００８】
また、遠隔操作用レリースの前記他端側を排水継手から挿入して水槽底部の排水口に連通する排水路に配設された排水栓機構の作動部に連結し、前記排水継手を回転させずに排水口部材に接続すること（請求項４）、より具体的には、遠隔操作用レリースの前記他端側を排水継手から挿通させて水槽底部の排水口に連通する排水路に配設された排水栓機構の作動部に連結し、前記排水継手を回転させずに排水口部材に接続してなり、前記作動部は周縁に鍔を有するホルダーに支持し、該鍔にＵパッキンを装着し、該Ｕパッキンを備えたその鍔を排水継手開放縁のフランジに載置した状態で排水継手を回転させずに排水口部材に接続して、前記排水口部材下端と排水継手のそのフランジとで前記ホルダーを水密状に挟持して排水栓機構の作動部を取付ける構成にする（請求項５）。
ここで、排水継手を回転させずに排水口部材に接続する手段としては、例えば袋ナットがその一種として提案できる。
【０００９】
以上の手段にあっては、出荷時に遠隔操作用レリースの他端側に連結されている排水栓機構の作動部との連結を解除せずとも、そのレリースが所要の引出し方向に向くように排水継手を周方向に回動した状態で、排水口部材に排水継手を回転させずに接続することによって施工現場で現場作業者によるレリースの再連結による作動不やレリースの損傷を防止して組み付けられる（請求項４）。
そして、開放端のフランジにホルダーの鍔を載置し、その排水継手を回転させずに排水口部材に接続する同時に、フランジと、排水口部材下端とで、Ｕパッキンを押圧するようホルダーを水密状に挟持して排水栓機構の作動部を取付けることができる（請求項５）。
【発明の効果】
【００１０】
本発明は以上のように構成したから、洗面器、流し等の狭い下空間（キャビネット空間を包含する）内からワンタッチ式に簡単且つ容易に連結する遠隔操作用レリースを提供できる。
しかも、請求項３記載のように構成することによって、その狭空間でのレリースの連結作業であっても、差込用案内突部による案内作用で容易且つ簡単に差込みできるばかりでなく、係合時に係合溝と操作筒下端との間の下端部を、係合爪と接続筒上端の段差面とで挟持するから、スナップフィットでありながらグラ付くことがなくしっかりと連結できる。
その上、係合爪は、中途部を支持する中途支持構成にして下半部を人為的に掴持することによって係合溝との係合が解除されるようにしており、レリースを保守点検する時の連結解除も狭空間から難なく行える。
しかも、請求項４の排水栓装置では、施工現場で現場作業者によるレリースの再連結による作動不良、レリースの損傷を防止して排水口部材に排水継手を接続することができるし、請求項５の排水栓装置にあっては、施工現場で現場作業者によるレリースの再連結による作動不良、レリースの損傷を防止して排水口部材に排水継手を接続するに際して、開放縁にフランジのみを折曲状に形成している普及品の排水継手を使用でき、装置コストの大幅な低減を図ることができる。
その上、その排水継手は、金属製薄肉パイプからの加工で簡単に製作することができ、非常に廉価である。
【発明を実施するための最良の形態】
【００１１】
次に本発明遠隔操作用レリース及びその遠隔操作用レリースを備えた排水栓装置の実施の形態を図１〜図７に基づいて説明すると、符号Ａは、洗面器、流し等の上縁面ｃ１に取付けられた操作部１と、水槽底部ｃ２の排水口１００に連通する排水路２００に配設された排水栓機構２の作動部１２とを連絡する遠隔操作用レリース、Ｂはその遠隔操作用レリースＡを使用した排水栓装置である。
【実施例１】
【００１２】
この遠隔操作用レリースＡは、図１に示すようにインナーワイヤａ２を摺動可能に案内するアウターチューブａ１の両端にジョイント部材ａ３を設けると共に、一端側のジョイント部材ａ３をスラストロック機構（図示せず）を内蔵した接続筒ａ４に螺嵌して連結し、他端側のジョイント部材ａ３に排水栓機構２の作動部１２が螺嵌によって連結可能になっている。
【００１３】
接続筒ａ４は、スラストロック機構（図示せず）を内蔵するその本体筒ａ４’をスナップフィットＳＦで操作筒１１に係脱するように構成されている。
該スナップフィットＳＦは、本体筒ａ４’先端から同軸状に上方に突設した差込用案内突部ａ４”と、操作筒１１の下端近傍に設けた係合溝１１ａと、前記本体筒ａ４’外周に間隔をおいて設けられ前記係合溝１１ａに係脱可能に係合する係合爪３とを備えている。
【００１４】
前記操作部１は、図４等に示すように、上端に周設した係止鍔１１ｂを洗面器、流し等の上縁面ｃ１上面に載置して操作筒１１を、上縁面ｃ１を貫通して配置し、上端に操作ボタン１１ｃ’を有する操作軸１１ｃを、操作筒１１の筒孔１１ｄに上下摺動可能に挿入し、係止鍔１１ｂと、操作筒１１外周面に螺刻した螺子部１１ｅに螺嵌する固定用ナット４とで前記上縁面ｃ１を挟持するようにして操作筒１１を取付けている。
また、前記操作部１は、図７に示すようにスパウト（水栓金具）ＳＰが取付部になっている場合もあり、この場合には、スパウトに設けた螺子孔に操作筒１１を捩じ込んで取り付けられており、符号１１ｃは操作軸である。
【００１５】
前記差込用案内突部ａ４”は、筒部であり、その外径を前記操作筒１１の筒孔１１ｄとほぼ同径にして、接続筒ａ４を操作筒１１に対して同軸状に差込む時のガイド機能を発揮するようになっている。
【００１６】
係合爪３は、図１〜図４等に示すように、接続筒ａ４の筒芯を挟んで対向状に配設され、各々を上端に爪部１３が内向きに突設され中途部を接続筒ａ４の外周面に一体に支持した中途支持構成にして、下半部２３を人為的に掴持することによる弾性変形で爪部１３を有する上半部３３が外向きに弾性的に傾動するように形成されている。
前記係合爪３は、その下半部２３の外面に滑り止め部２３ａを突設形成して、掴む指が滑ることがないように配慮されている。
【００１７】
一方、操作筒１１は、係合溝１１ａと下端との間の所要範囲を上外向テーパー部１１ｆで形成して、差込用案内突部ａ４”の操作筒１１に対するガイド機能で遠隔操作用レリースＡを差込むことによって、その上外向テーパー部１１ｆで爪部１３が外向きに拡開変形されてその進入を妨げず、爪部１３がその変形復元力で係合溝１１ａに係合すると同時に、上外向きテーパー部１１ｆを爪部１３と接続筒ａ４上端の段差面５とで挟持するようになっている。
符号６はシール用のＯリングである。
【００１８】
前記スラストロック機構（図示せず）は、操作ボタン１１ｃ’を押動する度にスプリングの弾撥力に抗して内部の歯合体が下降しその下降の度にロックと、ロック解除を交互に繰り返す周知のラチェット機構であり、噛合体の下降に伴ってインナーワイヤａ２を押し下げてインナーワイヤの逆側端で、後述する排水栓機構２の作動部１２で上下動可能に支持されている押上用の軸８を押上げて開栓と閉栓とを交互に行うようになっている。
【００１９】
前記遠隔操作用レリースＡの他端側は、図５等に示すように排水継手７の中途部に開孔されている引出孔１７に掛止されたガスケット２７から水密状に排水継手７内に挿入して排水栓機構２の作動部１２に連結されるようになっている。
【００２０】
排水栓機構２の作動部１２は、内部中空なケース１２ａの上端に押上用の軸８を上下動可能に貫挿してなり、下端にジョイント部材ｃ３を螺嵌して遠隔操作用レリースＡの他端側に連結され、該ケース１２ａはホルダー１２ｂで支持されている。
このホルダー１２ｂは、前記ケース１２ａから放射状に支持ブラケット片１２ｂ’…を延設し、その支持ブラケット片１２ｂ’…の延設端を外輪１２ｂ”で連結し、該外輪１２ｂ”の上縁から水平な鍔９を外向きに突設した構成になっている。
【００２１】
前記ホルダーの鍔９には、ＵパッキンＰが嵌合されており、該ＵパッキンＰが排水継手７のフランジ７ａと排水口部材１０１の下端面と丁度対応する位置関係になるようになっている。
そして、押上用の前記軸８で、上方から栓蓋１０ａ、振れ止め片１０ｂを順に有する栓軸１０を支承して排水栓機構２を構成している。
【００２２】
前記排水継手７は、金属製または合成樹脂製であり、開放縁にフランジ７ａのみを折曲状に形成する普及品が使用されている。
【００２３】
斯かる排水栓装置Ａは、遠隔操作用レリースＡ、排水栓機構２の作動部１２、排水口部材１０１、排水継手７、袋ナット１０２、締付ナット１０３等は一体的に組み付けた状態で出荷される。
そして、施工現場で袋ナット１０２、締付ナット１０３を外した後、図５に示すように、排水口部材１０１を排水口１００に水槽内から差し込んでからパッキンを弾圧するように締付ナット１０３を螺嵌して水槽底部ｃ２に排水口部材１０１を挾着した後、遠隔操作用レリースＡが所要の引出し方向に向くように排水継手７を周方向に回動した状態で開放端のフランジ７ａに下方から掛止する袋ナット１０２を排水口部材１０１に螺嵌によって接続すると同時に、フランジ７ａと、排水口部材１０１下端面とで、ＵパッキンＰを押圧するよう前記ホルダー１２ｂを水密状に挟持して排水栓機構２の作動部１２を取付ける。
これによって排水口部材１０１、排水継手１０３からなる排水路２００に前記作動部１２が配設される。
【００２４】
また、遠隔操作用レリースＡの一端側は、排水口部材１０１への排水継手７の接続前または後にスナップフィットＳＦで接続筒ａ４を洗面器、流し等の上縁面ｃ１やスパウトＳＰに取付けられている操作筒１１に連結する。
尚、図７においても、遠隔操作用レリースＡの一端側を、スナップフィットＳＦでスパウトＳＰに取り付けられている操作筒１１に係脱可能に係合する構成になっていること同様であり、同一符号を付して具体的説明は省略する。
【００２５】
このように本発明遠隔操作用レリースＡは、洗面器、流し等の上縁面ｃ１やスパウトＳＰに取付けられている操作筒１１に、洗面器、流し等の狭い下空間Ｓから差込用案内突部ａ４”のガイド作用で接続筒ａ４を差込むことよって係合爪３が係合溝１１ａに係合して連結し、係合爪３の下半部２３を掴持することによってその係合を解除して連結を解除することができる。
【図面の簡単な説明】
【００２６】
【図１】本発明遠隔操作用レリースの拡大図で一部切欠して示し、排水栓機構の作動部に連結する前の状態を示している。
【図２】要部の拡大斜視図。
【図３】同要部を示し、（ａ）は平面図、（ｂ）は正面図で、一半部を断面して示す。
【図４】操作部と接続筒との連結状態を示す拡大正面図で一半部を断面して示す。
【図５】排水栓装置の組み付け前の状態を示す分解図で、一部切欠して示す。
【図６】排水栓装置の使用状態を示す正面断面図で、開栓状態を示す。
【図７】排水栓装置の正面断面図で、水栓金具（スパウト）に設けた操作筒に接続筒を連結した状態を示している。
【符号の説明】
【００２７】
Ａ：遠隔操作用レリース            １１：操作筒
１１ｃ：操作軸                        ｃ１：上縁面
ＳＰ：水栓金具（スパウト）        １０１：排水口部材
７：排水継手                        ２：排水栓機構
１２：作動部                        ＳＦ：スナップフィット
ａ４：接続筒                      １１ａ：係合溝
３：係合爪                      ａ４”：差込用案内突部
１３：爪部                        １１ｆ：上外向きテーパー部
１２ｂ：ホルダー                        ９：鍔
Ｐ：Ｕパッキン                      ７：排水継手
７ａ：フランジ                    ２００:排水路
１００:排水口                        ｃ２:水槽底部
【図１】
2006183422.tif 000003
【図２】
2006183422.tif 000004
【図３】
2006183422.tif 000005
【図４】
2006183422.tif 000006
【図５】
2006183422.tif 000007
【図６】
2006183422.tif 000008
【図７】
2006183422.tif 000009